(57)【要約】【課題】  テープ式車内放送装置のテープに記録されている車内放送用の音声信号などのアナログデータを、デジタル化してその記録媒体に記録すると共に、記録したデジタルデータを再生における特定データの取扱いに工夫を凝らした方法を提供すること。【解決手段】  テープ式車内放送装置に搭載されているテープに記録されている車内放送用のアナログ音声信号などのアナログデータを、前記テープの左右チャンネルごとにＡ／Ｄ変換してカード状などの固体記録媒体に記録するとき、記録するデジタルデータのうち一方のチャンネルに記録される少なくとも運賃表示器11の指令データと停車表示器12の指令データを、各データに異なる特定周波数による識別信号を付帯して記録し、記録した上記各指令データを再生するとき、バンドパスフィルタ8a〜8cによって上記の異なる周波数を検出させ、該検出により前記整理券発券部と料金表示部を動作させるためのリレー10a〜10cの動作信号を出力させること。【選択図】図１
2005112212.tif 000002
【特許請求の範囲】
【請求項１】
テープ式車内放送装置に搭載されているテープに記録されている車内放送用のアナログ音声信号などのアナログデータを、前記テープの左右チャンネルごとにＡ／Ｄ変換してカード状などの固体記録媒体に記録するとき、記録するデジタルデータのうち一方のチャンネルに記録される少なくとも運賃表示器の指令データと停車表示器の指令データを、各データに異なる特定周波数による識別信号を付帯して記録し、記録した上記各指令データを再生するとき、バンドパスフィルタによって上記の異なる周波数を検出させ、該検出により前記整理券発券部と料金表示部を動作させるためのリレーの動作信号を出力させることを特徴とするバス等のテープ式車内放送用アナログデータをデジタルデータに変換して記録し再生する方法。
【請求項２】
デジタルデータの記録媒体に車内放送用のデジタルデータを記録するとき、そのデータの中に、車内の運賃表示器、停車表示器、整理券発券機の夫々の動作指令データを記録すると共に、各指令データの前に異なる周波数の識別信号を付帯させることを特徴とするテープ式車内放送用アナログデータをデジタルデータに変換して記録する方法。
【請求項３】
記録される車内放送用のデジタルデータは、テープ式車内放送装置のテープに記録されている音声周波信号などのアナログデータをＡ／Ｄ変換したものである請求項２の車内放送用アナログデータをデジタルデータに変換して記録する方法。
【請求項４】
付帯する複数の識別信号は、相互に３倍〜12倍又は１／３〜１／12倍の関係をもつ周波数信号である請求項１のテープ式車内放送用アナログデータをデジタルデータに変換して記録し再生する方法。
【請求項５】
付帯する複数の識別信号は、相互に３倍〜12倍又は１／３〜１／12倍の関係をもつ周波数信号である請求項２又は３のテープ式車内放送用アナログデータをデジタルデータに変換して記録する方法。
【発明の詳細な説明】
【技術分野】
【０００１】
本発明はテープ式放送装置により行われている路線バスなどの車内放送用のアナログ音声信号などのアナログデータをデジタルデータに変換してカード状などをなす固体記録媒体に記録する方法並びに記録されたデータを再生する方法に関する。
【背景技術】
【０００２】
路線バスなどにおいては、運転手が１人で車内放送を行うと共に運転も行う、いわゆるワンマン運行が行われている。このワンマン運行は路線バスのみならず、路面電車、各私鉄、いわゆるＪＲなどにおいても行われている。
【０００３】
上記のようなバスなどのワンマン運行においては、従来より２チャンネルのテープ式放送装置を用い、一方のチャンネルに、定型内容の音声信号、例えば次の駅名や停車の告知、或は、通過などを示す音声信号をアナログ信号で録音したテープの音声を流すと共に、他方のチャンネルに、前記音声信号とタイミングを取って記録した整理券発券機などの動作指令信号をアナログ信号で出力するようにしている。
【０００４】
しかし、テープに録音した運行用の音声データは、記録媒体が磁気テープであって経年劣化するため、所要時間が経過すると録音したテープを新しいものに取り替える必要があり、この点で手間がかかる上に取替えの度の消耗品コストも無視できないという問題がある。また、近年における様々なデータのデジタル化思潮の高まりに伴ってテープ式の放送機材の市場への提供もやがて廃止され、補充ができなくなるという事情もある。
【０００５】
上記のアナログデータの記録媒体の問題点に鑑みれば、ワンマンバスなどの運行に必要な車内放送データを、当初よりデジタル記録媒体に記録しておいてこれを車内で再生するようにすることが考えられ、現にそのようなデジタルデータによる車内放送装置を備えたワンマン路線バスなどもある。
【０００６】
しかし、現在、テープ式放送装置を用いて運行しているワンマンバスなどの当該車内放送装置をデジタル式の放送装置に乗せ替えると、そのために車内放送用のデジタル記録媒体を新たに制作する必要があり、これが車内放送のデジタル化を進展させない理由の一つとなっている。
【発明の開示】
【発明が解決しようとする課題】
【０００７】
そこで本発明では、テープ式車内放送装置のテープに記録されている車内放送用の音声信号などのアナログデータを、デジタル化してその記録媒体に記録すると共に、記録したデジタルデータを再生における特定データの取扱いに工夫を凝らした方法を提供することを課題とする。
【課題を解決するための手段】
【０００８】
上記課題を解決することを目的としてなされた本発明方法の構成は、テープ式車内放送装置に搭載されているテープに記録されている車内放送用のアナログ音声信号などのアナログデータを、前記テープの左右チャンネルごとにＡ／Ｄ変換してカード状などの固体記録媒体に記録するとき、記録するデジタルデータのうち一方のチャンネルに記録される少なくとも運賃表示器の指令データと停車表示器の指令データを、各データに異なる特定周波数による識別信号を付帯して記録し、記録した上記各指令データを再生するとき、バンドパスフィルタによって上記の異なる周波数を検出させ、該検出により前記整理券発券部と料金表示部を動作させるためのリレーの動作信号を出力させることを特徴とするものである。
【０００９】
上記構成の本発明方法においては、記録媒体に車内放送用のデジタルデータを記録するとき、そのデータの中に、車内の運賃表示器、停車表示器、整理券発券機の夫々の動作指令データを記録すると共に、各指令データに異なる周波数の識別信号を付帯させることも特徴の一つとする。
【発明の効果】
【００１０】
本発明方法は、テープ式車内放送装置のテープの左右チャンネルに記録されている車内放送用の音声信号と整理券発券機などの機器の動作指令となる特定周波数の信号によるアナログデータを、各チャンネルごとにデジタル化してデジタルデータの記録媒体に記録するとき、一方のチャンネルに記録される各機器の動作指令をなるデジタル信号の手前に、個々の機器ごとに異なる周波数の識別信号を付帯させて記録するから、記録データの再生時に再生データを個々の機器用に設けたバンドパスフィルタを通すことにより、特定機器の動作指令を弁別して出力することができる。
【発明を実施するための最良の形態】
【００１１】
次に、本発明方法の実施の形態例を図を参照しつつ説明する。図１は本発明方法により記録された車内放送用のデジタルデータの放送装置の一例を示すブロック図である。
【００１２】
図において、１は、デジタル信号処理部1aと、デジタルアナログ変換部1bと、マイクロコンピュータ部1cを主体に形成され、デジタルデータの記録媒体としてメモリカード1dを備えると共に、放送内容の頭出し確認用のＬＣＤ表示器1eを備えたデジタル車内放送装置の主装置であり、いわゆるMP３（MPEG-１  Audio  Layer-III）の信号圧縮機能を具備したものである。
【００１３】
上記主装置１はその入力側に当該装置１の入力部２を備えており、該入力部２にはこの主装置１の始動スイッチ2a、駅通過放送スイッチ2b、次の駅名放送スイッチ2c、停車する旨の放送スイッチ2dが、運転席回りに配置される当該主装置１の筺体などに設けられ、各スイッチ2a〜2dを操作すると対応する信号が主装置１に入力されるように形成されている。
【００１４】
上記主装置１は、テープ式車内放送装置の２チャンネルテープの放送内容と機器の動作指令信号などが、そのメモリカード1dの対応するチャンネルにデジタル信号で記録されているので、前記入力部２の各スイッチ2b〜2dの操作によって出力される夫々のスイッチ信号に対応してメモリカード1dのメモリ内容を逐次読出されて出力する。
【００１５】
メモリカード1dに記録されたメモリ内容の読出し出力は、例えば左チャンネルの次の駅名などの車内放送データが、主装置１の内部でＤ／Ａ変換されて、アンプ３を経由し、切換制御部４の動作で車内スピーカ５、又は、車外スピーカ６、若しくは両スピーカ５，６から再生される。
【００１６】
一方、メモリカード1dの右チャンネルのメモリ内容は、通過スイッチ2b，駅名スイッチ2c，停車スイッチ2dの選択された操作によるメモリカード1dの左チャンネルのデータの読出しとタイミングを合せて読出される。この例では、右チャンネルのメモリ内容が車内に設置した運賃表示器11、停車表示器12、整理券発券機13に対する動作指令信号であるので、各動作指令信号には、夫々に異なる周波数、ここでは、夫々に250Hz，１KHz，３KHzの信号を識別信号として先頭に付帯させている。従って、メモリカード1dの右チャンネルの読出しにおいては、読出された信号がアンプ７により増幅され、上記の各指令信号の前に付けられた夫々の識別信号のうち一つが３つのフィルタ8a，8b，8cのいずれかにより弁別パスされて、次のドライバ9a〜9cのいずれかを動作させることになる。いずれかのドライバ9a〜9cからの出力は、各ドライバ9a〜9cの夫々に対応して接続されたリレー10a〜10cのいずれかを選択して駆動するから、運賃表示器11、停車表示器12、整理券発券機13の各機器は、間違ったり混同することなく、自動的に選択された機器11〜13のみが適切なタイミングで動作させられることとなる。
【００１７】
図１において、14は電源部で車載の24Vバッテリに接続されていると共に、バックアップバッテリ15を備えており、この電源部14の出力端子は、ここでは12V，５Ｖ，3.3Vである。また、16は切換制御部４の入力部で、切換スイッチ16a、扉開閉スイッチ16b、マイク入力スイッチ16cを具備している。
【００１８】
いま、上記の放送装置を始動スイッチ2aを入れて起動し、動作待機状態にする。ワンマン車輌の運転手は、行先や出発時刻などの放送を、マイク入力スイッチ16cを操作しマイク（図示せず）を通して、車内，外のスピーカ５，６から行い、扉スイッチ16bを操作して扉（図示せず）を開けて乗客を乗せ、乗り終えたら扉を閉めて、運行を開始する。
【００１９】
バス等の車輌が出発してから次の停車駅を案内するスイッチ2cを操作すると、主操作１のメモリカード1dから次（ｎ番目）の駅名のデータが読出され、Ｄ／Ａ変換されてアンプ３で増幅され、車内スピーカ５から駅名が放送される。
【００２０】
乗客から放送した駅で降りる旨の意思が車内の降車ボタンで表示されると、運転手により次の駅で停車する旨のスイッチ2dが操作される。次の駅で停車するスイッチ2dが入れられると、「つぎ、停車します」などの停車する旨の放送が左チャンネルの読出しデータに基づいてスピーカ５から行われると共に、メモリカード1dの右チャンネルのデータが読出され、読出されるデータのうち停車信号がアンプ７を通ってバンドパスフィルタ8bを作動させ、ドライバ9b，リレー10bを経て停車表示器12を作動させる。
【００２１】
上記のような次の駅で停車する旨のスイッチ2dの操作、又は、通過スイッチ2bの操作に同期して運賃が更新されたり、整理券の印字内容が変わって発券される場合には、運賃表示器11、又は、整理券発券機13が作動されるが、これらの機器の動作指令のデータは、メモリカード1dの右チャンネルに記録されているので、前記スイッチ2dや2bの操作による左チャンネルの車内放送と同期して右チャンネルのデータが読出されてアンプ７で増幅され、バンドパスフィルタ8a〜8cに送られる。これらのフィルタ8a〜8cにおいては、前記スイッチ操作と対応したフィルタを作動させてフィルタをパスした信号のみが対応するドライバ9a〜9cのいずれかを作動させ、対応する所要のリレー10a〜10cを動作させて必要な機器11と13に所定の動作をさせる。
【産業上の利用可能性】
【００２２】
本発明は以上の通りであって、テープ式車内放送装置に搭載されているテープに記録されている車内放送用のアナログ音声信号などのアナログデータを、前記テープの左右チャンネルごとにＡ／Ｄ変換してカード状などの固体記録媒体に記録するとき、記録するデジタルデータのうち一方のチャンネルに記録される少なくとも運賃表示器の指令データと停車表示器の指令データを、各データに異なる特定周波数による識別信号を付帯して記録し、記録した上記各指令データを再生するとき、バンドパスフィルタによって上記の異なる周波数が検出されたら、整理券発券部と料金表示部を動作させるためのリレーの動作信号を出力させるようにしたから、テープ式車内放送装置のテープに記録されたアナログデータをデジタルデータに容易に変換でき、そのままデジタル車内放送装置により車内放送に使用することができて便利である。
【００２３】
また、記録媒体に車内放送用のデジタルデータを記録するとき、そのデータの中に、車内の運賃表示器、停車表示器、整理券発券機の夫々の動作指令データを記録すると共に、各指令データに異なる周波数の識別信号を付帯させるから、片方のチャンネルに記録された複数の機器の動作指令信号が弁別されて所要の機器を動作させることができる。
【図面の簡単な説明】
【００２４】
【図１】本発明方法により記録される車内放送用のデジタルデータの放送装置の一例を示すブロック図。
【符号の説明】
【００２５】
１        主装置
２        入力部
３        右チャンネルのアンプ
４        切換制御部
５，６    スピーカ
７        左チャンネルのアンプ
8a〜8c    バンドパスフィルタ
9a〜9c    ドライバ
10a〜10c  リレー
11        運賃表示器
12        停車表示器
13        整理券発券機
【図１】
2005112212.tif 000003